(57)【特許請求の範囲】
【請求項１】
入力された画像を処理し、記録媒体に記録する出力画像を生成する画像処理装置であって、
前記入力された画像のサイズを取得する第１の取得手段と、
前記記録媒体のサイズを取得する第２の取得手段と、
前記記録媒体に対して、前記入力された画像を余白なしで記録する場合のはみだし量を、上下左右それぞれの方向において設定する設定手段と、
前記入力された画像を複数の領域に分割する分割手段と、
前記記録媒体のサイズ及び前記はみだし量と、前記入力された画像のサイズとを用いて、前記上下左右それぞれの方向の変倍率を算出する算出手段と、
前記上下左右それぞれの方向の変倍率に基づいて、前記分割された各領域を前記上下左右それぞれの方向に変倍処理し、出力画像を生成する生成手段と
を備えることを特徴とする画像処理装置。
【請求項２】
前記算出手段は、
前記上下左右それぞれの方向について、一定の変倍率を算出することを特徴とする請求項１に記載の画像処理装置。
【請求項３】
前記算出手段は、
前記上下左右それぞれの方向について、前記入力された画像の中央からの距離に応じて大きくなるように、前記変倍率を算出することを特徴とする請求項１に記載の画像処理装置。
【請求項４】
前記入力された画像のうち、変倍処理を行わない領域を決定する決定手段を更に備え、
前記算出手段は、前記記録媒体のサイズ及び前記はみだし量と、前記入力された画像のうち前記決定手段により決定された領域を除いた領域のサイズとを用いて、前記上下左右それぞれの方向の変倍率を算出することを特徴とする請求項１に記載の画像処理装置。
【請求項５】
前記入力された画像に含まれる特定のオブジェクトを含む領域を検出する検出手段を更に備え、
前記決定手段は、前記検出手段により検出された領域を前記変倍処理を行わない領域として決定することを特徴とする請求項４に記載の画像処理装置。
【請求項６】
前記検出手段は、
前記入力された画像に含まれる被写体の顔を含む領域を検出することを特徴とする請求項５に記載の画像処理装置。
【請求項７】
前記検出手段は、
前記入力された画像に含まれる複数の被写体の顔を含む領域を検出することを特徴とする請求項５に記載の画像処理装置。
【請求項８】
入力された画像を処理し、記録媒体に記録する出力画像を生成する画像処理装置における画像処理方法であって、
前記入力された画像のサイズを取得する第１の取得工程と、
前記記録媒体のサイズを取得する第２の取得工程と、
前記記録媒体に対して、前記入力された画像を余白なしで記録する場合のはみだし量を、上下左右それぞれの方向において設定する設定工程と、
前記入力された画像を複数の領域に分割する分割工程と、
前記記録媒体のサイズ及び前記はみだし量と、前記入力された画像のサイズとを用いて、前記上下左右それぞれの方向の変倍率を算出する算出工程と、
前記上下左右それぞれの方向の変倍率に基づいて、前記分割された各領域を前記上下左右それぞれの方向に変倍処理し、出力画像を生成する生成工程と
を備えることを特徴とする画像処理方法。
【請求項９】
請求項８に記載の画像処理方法をコンピュータによって実行させるためのプログラム。
【発明の詳細な説明】
【技術分野】
【０００１】
本発明は、入力された画像を変倍して記録紙に記録するための出力画像を生成する画像処理技術に関するものである。
【背景技術】
【０００２】
従来より、画像読取装置は、単機能のコンピュータ用の周辺機器（イメージスキャナ）として製品化される一方で、ファクシミリ装置やコピー機、ＭＦＰなどにおいても幅広く利用されている。なお、ＭＦＰとは、Ｍｕｌｔｉ  Ｆｕｎｃｔｉｏｎ  Ｐｅｒｉｐｈｅｒａｌ（多機能周辺機器）の略であり、画像読取り、コピー、印刷、ファクシミリ送信など、複数の機能が複合された装置である。
【０００３】
多くの画像読取装置では、読取ヘッドと原稿との間の相対移動によって読取走査を行っている。ここで、画像読取装置の読取方式を原稿の搬送方式の違いにより分類すると、原稿ガラスの上に原稿を配置して読取ヘッドの方を移動させる方式と、読取ヘッドは移動させずに原稿の側を移動させる方式とに分けることができる。
【０００４】
更に、原稿の給送方式の違いにより分類すると、手動による方式と、ＡＤＦ（自動原稿給送装置）により読取位置（原稿、読取ヘッドのいずれを給送するかは問わない）に原稿を送り込む方式等に分けることができる。
【０００５】
また、現在の画像読取装置では、単一の読取方式だけではなく、２つ以上の複数の読取方式が搭載された装置も珍しくなく、たとえばＡＤＦ読取方式と、フラットベッド読取方式の双方を利用できる画像読取装置も登場してきている。
【０００６】
そして、このような画像読取装置が搭載されたＭＦＰ等では、読取った原稿の画像をそのまま記録紙に記録したり、ファクシミリ送信して利用するだけでなく、原稿の読取りから原稿画像の利用までの工程にて、種々の処理が行われるように構成されている。更に、当該処理の結果に応じて、原稿画像に対して複数の異なる処理を実行させることも可能となっている。
【０００７】
例えば、当該処理の結果に応じて実行されるコピー機能に関して列挙するだけでも、次のような種類のコピー処理が存在する。
（１）単純に原稿をコピーするだけの通常コピー
（２）オペレータに指定された繰返し数だけ記録紙に繰返し原稿をコピーする繰返しコピー（手動）
（３）記録紙に記録できるだけ繰返し原稿をコピーする繰返しコピー（自動）
（４）原稿を鏡に映したように反転してコピーする鏡像コピー
（５）自動的に倍率を決定し、記録紙サイズいっぱいにコピーする自動倍率コピー
（６）記録部の非画像領域（記録紙周囲の余白）なしで記録紙全面に原稿をコピーするフチ無しコピー
ここで、ＭＦＰ等に搭載された印刷機能としては、通常の印刷機能の他にも種々の機能がある。例えば、デジタルカメラ等で撮影した画像が保存されたメモリカードをメモリカードスロットに差し込み、メモリカード内の画像データを読み取り、記録紙に印刷するカードダイレクト印刷機能が挙げられる。
【０００８】
更にはデジタルカメラとＭＦＰとを直接汎用の有線・無線インタフェースで接続し、インタフェース経由で画像データを読み取り、記録紙に印刷するカメラダイレクト印刷機能も挙げられる。
【０００９】
そして、このようなカードダイレクト印刷やカメラダイレクト印刷等の印刷機能においても、コピー機能と同様に、読取った画像データに対する処理の結果に応じて実行される処理として、次のような種類の印刷処理が存在する。
（１）単純に画像を印刷するだけの通常印刷
（２）オペレータに指定された繰返し数だけ記録紙に繰返し画像を印刷する繰返し印刷（手動）
（３）記録紙に記録できるだけ繰返し画像を印刷する繰返し印刷（自動）
（４）原稿を鏡に映したように反転して印刷する鏡像印刷
（５）自動的に倍率を決定し、記録紙サイズいっぱいに印刷する自動倍率印刷
（６）記録部の非画像領域（記録紙周囲の余白）なしで記録紙全面に画像を印刷するフチ無し印刷
（７）ＣＤのレーベル等に画像を印刷するレーベル印刷
このうち、上記コピー機能の（６）および印刷機能の（６）として列挙されたフチ無しコピーおよびフチ無し印刷の詳細は、以下のような文献において開示されている。
【００１０】
例えば、特開２００４−１０４１９０号公報によれば、画像読取装置により原稿から全面読取した画像を所定の変倍率で拡大して記録紙に記録するフチ無しコピーモードにより、原稿画像を記録紙に記録することができる。
【００１１】
具体的には、原稿画像の拡大により、記録紙からはみ出して非記録となる画像の大きさに相当するはみ出し量をユーザに設定させる構成とし、ユーザにより設定されたはみ出し量に基づき、拡大処理する際の変倍率を決定する構成が開示されている。
【００１２】
また、例えば、特開２００６−１６７９６５号公報によれば、ＣＤ−Ｒなどの光ディスクのレーベル面への印刷（ラベル印刷）を行うにあたり、フチ無しで印刷する方法が開示されている。
【００１３】
具体的には、画像データの一部分を拡大することで、画像データがディスクのレーベル面の全体に配置されるように印刷することが可能である。
【００１４】
このように、従来のフチ無しコピーやフチ無し印刷では、原稿画像が記録紙サイズより大きくなるように原稿画像全体を拡大するか、あるいは画像データの一部のみを拡大することにより、これを実現していた。
【特許文献１】特開２００４−１０４１９０号公報
【特許文献２】特開２００６−１６７９６５号公報
【発明の開示】
【発明が解決しようとする課題】
【００１５】
しかしながら、上述のようなフチ無しコピーやフチ無し印刷には、いくつかの問題点がある。例えば、原稿画像を記録紙サイズより大きく拡大するため、結果的に出力画像が入力画像よりも大きくなってしまったり、出力画像の端部の情報が、記録紙に印刷されず、欠損することとなる。
【００１６】
この結果、例えば、フチ無しコピーを繰り返し行うと、最初のコピーで原稿画像よりも拡大された出力画像は、次のコピーにより、更に拡大されることとなってしまう。
【００１７】
また、ダイレクト印刷におけるフチ無し印刷に適用した場合、ＭＦＰやデジタルカメラ等のＵＩ画面で確認した画像と比べ、出力画像の中心部分が拡大された画像となるなど画像内容に変更が生じてしまううえ、端部が欠損してしまうこととなる。
【００１８】
同様の現象はデジタルカメラの画像の画角が４：３であり、標準的な記録紙の画角が５：３．５といったように、入力画像と記録紙の画角が異なっている場合にも発生する。すなわち、記録紙全面を覆うように拡大した場合、デジタルカメラの画像の画角４：３は５：３．７５と等価なので、長辺側に比べて短辺側の方がより端部の情報欠損率が大きくなってしまう。
【００１９】
更に、フチ無し巾が記録紙の上下左右で異なっていたような場合にあっては、原稿画像の中心と記録紙の中心とを合わせた状態で、上下あるいは左右でフチ無し巾の大きい方に合わせて拡大するため、情報欠損率が大きくなる傾向にあった。
【００２０】
一方で、上下左右で異なるフチ無し巾の場合に、単純に記録紙＋フチ無し巾の領域を覆うように拡大することとすると、原稿画像の中心と記録紙の中心とがズレることとなり、画像内容が変化することとなる。この結果、フチ無しコピーを繰り返すと、繰り返した分だけ中心のズレが積み重なっていき、画像内容の変化が著しくなってしまう。
【００２１】
本発明は、上記課題に鑑みてなされたものであり、フチ無しコピーまたはフチ無し印刷を行うにあたり、画像内容の変化を抑えつつ、端部の欠損を低減させることを目的とする。
【課題を解決するための手段】
【００２２】
上記の目的を達成するために本発明に係る画像処理装置は以下のような構成を備える。即ち、
入力された画像を処理し、記録媒体に記録する出力画像を生成する画像処理装置であって、
前記入力された画像のサイズを取得する第１の取得手段と、
前記記録媒体のサイズを取得する第２の取得手段と、
前記記録媒体に対して、前記入力された画像を余白なしで記録する場合のはみだし量を、上下左右それぞれの方向において設定する設定手段と、
前記入力された画像を複数の領域に分割する分割手段と、
前記記録媒体のサイズ及び前記はみだし量と、前記入力された画像のサイズとを用いて、前記上下左右それぞれの方向の変倍率を算出する算出手段と、
前記上下左右それぞれの方向の変倍率に基づいて、前記分割された各領域を前記上下左右それぞれの方向に変倍処理し、出力画像を生成する生成手段とを備える。
【発明の効果】
【００２３】
本発明によれば、フチ無しコピーまたはフチ無し印刷を行うにあたり、画像内容の変化を抑えつつ、端部の欠損を低減させることが可能となる。
【発明を実施するための最良の形態】
【００２４】
以下、図を参照しながら本発明の実施の形態を説明する。ただし、以下の実施形態の構成（構成要素の相対配置、寸法、表示画面など）は、特に特定的な記載がない限りは、本発明の範囲を当該構成のみに限定するものと解釈されるべきでないことはいうまでもない。
【００２５】
以下では、画像処理装置の一実施形態として、画像読取機能、ダイレクト印刷機能、ファクシミリ送信機能、及びコピー機能を併せ持つ、ＭＦＰ（Ｍｕｌｔｉ  ＦｕｎｃｔｉｏｎＰｅｒｉｐｈｅｒａｌ：多機能周辺機器）について説明する。
【００２６】
［第１の実施形態］
１．画像処理装置のシステム構成
図１は、本発明の第１の実施形態にかかる画像処理装置（ＭＦＰ１００）のシステム構成を示す図である。図１においてＣＰＵ１０１はＭＦＰ１００のシステム制御部であり、ＭＦＰ１００を構成する各ブロックを制御する。
【００２７】
ＲＯＭ１０２は、ＭＦＰ１００のシステム制御プログラムを格納する。なお、ＣＰＵ１０１は、ＲＯＭ１０２に格納されている制御プログラムに基づいて、ＭＦＰ１００に関する各種の処理を実行する。このようなＣＰＵ１０１の制御プログラムは、ＲＯＭ１０２に格納されているものに限らず、フレキシブルディスクやＣＤ−ＲＯＭなどの外部の記憶媒体に記憶されているものでもよい。また、専用の読取装置によって、ＭＦＰ１００のＲＡＭ（例えばＳＲＡＭ１０４）に取り込み、ＣＰＵ１０１が解読し、実行するような構成であってもよい。
【００２８】
プリンタ１０３は、読取った、あるいは入力された画像データを記録紙に記録する機能を備え、任意の画像記録方式（電子写真方式、インクジェット方式など）により構成される。
【００２９】
ＳＲＡＭ１０４は、主にＭＦＰ１００の登録データなどの格納に、また、ＤＲＡＭ１０５は、主に画像データなどの格納に用いられる。
【００３０】
イメージプロセッサ１０６は、イメージセンサ１０７によって読取られた画像データに対して各種の画像処理（画像の変倍、所定のイメージフォーマットデータへの変換など）を行う。
【００３１】
イメージセンサ１０７は、原稿画像の読取りを行うためのもので、接触型読取りセンサなどから構成される。
【００３２】
操作パネル１０８は、装置の状態などを表示するためのディスプレイ１０９を有し、オペレータからの動作指示入力や各種データ登録の際に用いられる。
【００３３】
ＰＣインタフェース１１０は、ＭＦＰ１００とＰＣ（パーソナルコンピュータ）１１１とを接続するインタフェースである。ＰＣ１１１は、ＭＦＰ１００を周辺装置として利用するとともに、ＭＦＰ１００の各種設定データの変更や各種動作の起動要求を行うホストコンピュータとして機能する。
【００３４】
Ｃａｒｄインタフェース１１２は、ＭＦＰ１００とメモリカード１１３とを接続するインタフェースである。メモリカード１１３はＭＦＰ１００の外部記憶装置として動作する。ＭＦＰ１００はメモリカード１１３に保存された写真画像等の画像データをＣａｒｄインタフェース１１２を介して入力し、プリンタ１０３により印刷する、カードダイレクト印刷機能を有する。
【００３５】
ＤＳＣインタフェース１１４は、ＭＦＰ１００とＤＳＣ（デジタルスチルカメラ）１１５とを有線若しくは無線で接続するインタフェースである。ＭＦＰ１００はＤＳＣ１１５に保存された写真画像等の画像データをＤＳＣインタフェース１１４を介して入力し、プリンタ１０３により印刷する、カメラダイレクト印刷機能を有する。
【００３６】
ＤＳＣ１１５は、ＭＦＰ１００とカメラダイレクト印刷プロトコルで論理接続され、ＭＦＰ１００を印刷サービス提供装置として機能させることができる。また、ダイレクト印刷プロトコル上で規定された各種設定データの変更や各種動作の起動要求を行うことのできる印刷サービス利用装置として機能させることができる。
【００３７】
なお、イメージプロセッサ１０６では、Ｃａｒｄインタフェース１１２やＤＳＣインタフェース１１４を介して入力された画像データに対しても、各種の画像処理（画像の変倍、所定のイメージフォーマットデータへの変換など）を行うものとする。
【００３８】
２．画像処理装置の操作パネルの構成
図２は、本発明の第１の実施形態にかかる画像処理装置（ＭＦＰ１００）の操作パネルの構成を示す図である。以下、図２を用いて、操作パネルの構成について説明する。
【００３９】
電源キー２０１は、ＭＦＰ１００の主電源のＯＮ／ＯＦＦを行うためのキーである。リカバリキー２０２はＭＦＰ１００のエラー解除を行うためのキーである。
【００４０】
メモリ使用表示ＬＥＤ２０３は画像メモリ（ＤＲＡＭ１０５）の使用状態を示すためのＬＥＤであり、メモリ使用表示ＬＥＤ２０３が点滅しているときは、ＭＦＰ１００が画像メモリを使用していることを意味している。
【００４１】
エラー表示ＬＥＤ２０４はエラー表示を行うためのＬＥＤであり、エラー表示ＬＥＤ２０４が点滅している時は、ＭＦＰ１００がエラー状態であることを意味している。
【００４２】
モード切替キー２０５は、ＭＦＰ１００をスタンバイ状態から、コピーモードあるいはＦＡＸモード、スキャンモードあるいはダイレクト印刷モードに切り替えるためのキーである。
【００４３】
ダイレクト印刷モードは内部的にはカードダイレクト印刷モードとカメラダイレクト印刷モードの２種類が存在する。ダイレクト印刷モードへの移行は、基本的にはモード切替キー２０５により実行されるが、これに限定されるものではない。例えば、ＤＳＣインタフェース１１４によるＤＳＣ１１５との接続の検出を契機に移行したり、Ｃａｒｄインタフェース１１２によるメモリカード１１３の挿入の検出を契機に移行したりするように構成しても良い。
【００４４】
カラーモード表示ＬＥＤ２０６は、画像の色処理に関するモード表示のためのＬＥＤで、カラーモード表示ＬＥＤ２０６が点灯している時は、ＭＦＰ１００がカラー読取モードであることを意味する。
【００４５】
カラー／モノクロモードは、カラー／モノクロ切替キー２０７によって、切り替えることが可能であり、スキャンモードがカラーのときは、カラーモード表示ＬＥＤ２０６が点灯し、モノクロモードのときはカラーモード表示ＬＥＤ２０６が消灯する。
【００４６】
ストップキー２０８は、ＭＦＰ１００の動作を停止させるためのキーであり、スタートキー２０９は、ＭＦＰ１００の動作を開始させるためのキーである。
【００４７】
テンキー２１０は、コピー枚数、ファクシミリ通信相手の電話番号などの数値入力を行うためのキーである。
【００４８】
画質モードの切り替え、例えばコピー画像（あるいはファクシミリ画像）の画質の切り替えはコピー画質選択キー２１１により行う。また、コピー濃度の調整はコピー濃度調整キー２１２により行う。
【００４９】
記録紙サイズ選択キー２１３は、プリンタ１０３にセットされている記録紙サイズの選択のためのキーである。ＭＦＰ１００のコピー倍率の設定は、コピー倍率設定キー２１４によって行う。
【００５０】
セットキー２１５は、各種登録モードなどにおいて、設定項目の決定の際に用いられるキーである。なお、各種設定項目は、メニューキー２１６により、ディスプレイ２１７上に表示させることができる。
【００５１】
ディスプレイ２１７は図１のディスプレイ１０９に対応するもので、液晶表示器などから構成される。
【００５２】
３．画像読取部の主要部の構成
図３は、ＭＦＰ１００の画像読取部の主要部の構成を示している。本実施形態のＭＦＰ１００の画像読取部は図３に示すようにＡＤＦ読取方式およびフラットベッド読取方式の２つの画像読取方式を利用できるように構成されている。
【００５３】
図３では、ＡＤＦ読取方式およびフラットベッド読取方式の画像読取部は、原稿搬送に関する部材を除く一部の部材（本実施形態の場合、イメージセンサや白黒基準板）を共有している。図３において、白黒基準板３１０は、原稿台３０７の下部に配置され、イメージセンサ３０６のシェーディングデータを生成する。白黒基準板３１０は白色部と黒色部の２色の部分から構成されている。白黒基準板３１０下部にイメージセンサ３０６を移動してイメージセンサ３０６の下でイメージセンサ３０６の照明光源（不図示）を点灯あるいは消灯させることにより、各色のシェーディングデータを取得することができる。
【００５４】
原稿突き当て位置３０９は、原稿台３０７上に正しく原稿を積載するための基準となる突き当て位置である。
【００５５】
圧板３１１は、原稿読取時に外光が入らないようにするための蓋であり、内側は白色シートで作られている。
【００５６】
イメージセンサ３０６は、透明ガラスによって作られた原稿台３０７下部に配置され、不図示の駆動手段により原稿台３０７上の原稿３０８を走査し、その画像を読取る。装置がスタンバイ状態（ＡＤＦ読取方式が選択されている場合を除く）であるときは、イメージセンサ３０６はイメージセンサホームポジション３０５で待機する。
【００５７】
イメージセンサ３０６や、白黒基準板３１０はＡＤＦを用いた読取りにおいても共用される。
【００５８】
かかるフラットベッド部の一端の原稿台上にはＡＤＦ読取部が配置される。なお、ＡＤＦ読取部は最初から装置に組込まれる他、オプション部品などとして着脱される構成をとってもよい。
【００５９】
ＡＤＦ読取部は、原稿セット位置３０１から原稿排出位置３０３へと１枚ずつ原稿を搬送するローラなどから成る搬送手段３１２を有している。そして、搬送手段３１２下部のＡＤＦ読取り位置３０４にイメージセンサ３０６を移動させることにより、自動搬送された原稿の画像を読取る。
【００６０】
ＡＤＦ読取部の原稿セット位置３０１端部には、光学センサやリミットスイッチなどから成る原稿検知センサ３０２が設けてあり、この原稿検知センサ３０２により原稿セット位置３０１上の原稿の有無を検知することができる。
【００６１】
原稿検知センサ３０２が原稿を検知している場合は、ＡＤＦ読取方式が選択されたものとし、フラットベッド読取方式は使用せず、所定の操作（図２のスタートキー２０９の操作など）に応じてＡＤＦ読取りを行う。
【００６２】
ＡＤＦ読取りにおいては、イメージセンサ３０６をＡＤＦ読取り位置３０４に移動し、原稿を原稿排出位置３０３に向け搬送させながらＡＤＦ読取り位置３０４上を原稿が通過する時にその部分の画像を読取る。
【００６３】
原稿検知センサ３０２が原稿を検知しておらず（あるいは他の明示的な操作によって）、ＡＤＦ読取方式が選択状態となっていない場合は、フラットベッド読取方式が選択される。フラットベッド読取方式が選択されている場合はイメージセンサ３０６はイメージセンサホームポジション３０５に戻り、スタンバイ状態となる。
【００６４】
なお、図３のようなＡＤＦ読取部の構成では、搬送手段３１２により逆方向への搬送を行うのが困難である（たとえ可能であっても複雑高価かつ非現実的な構成が要求される場合が多い）。このため、ＡＤＦ読取方式が選択されている場合は、（原稿サイズ検知などの目的で）プリスキャンを行うことはできない。
【００６５】
また、図３のようなＡＤＦ読取部による原稿自動搬送は、後述のフチ無しコピーには適さない。フチ無しコピーでは、原稿の斜行などを極めて厳密に制御し原稿全面の読取を正確に行うのに充分な搬送精度を得る必要があるが、製造コストの制約などから、このような搬送精度を得るのが困難であるからである。
【００６６】
以上、図１〜図３に示したＭＦＰ１００は、ダイレクト印刷、画像読取り、コピー、ファクシミリ送信などの動作を行うことができる。本実施形態のＭＦＰ１００では、画像読取方式の選択はコピーモードの種別、特に、原稿サイズの検出を必要とするか否か、あるいは全面読取（フチ無しコピーなど）を必要とするか否かにより制御されるものとする。
【００６７】
４．画像処理装置における処理の流れ
以下、図４を参照してＣＰＵ１０１が実行する処理を説明する。図４は、ＭＦＰ１００においてＣＰＵ１０１が実行する処理の流れを示すフローチャートである。
【００６８】
図４に示すように、ステップＳ４０１では、モード切替キー２０５の状態を調べることでコピーモードであるかどうかを判断する。コピーモードであると判断した場合にはステップＳ４０２に進み、オペレータからのコピーについての指示を待つ。一方、コピーモードではないと判断した場合には、ステップＳ４０７に進み、ＦＡＸモードであるか否かの判断をする。
【００６９】
ステップＳ４０７においてＦＡＸモードであると判断した場合には、ステップＳ４０８において、オペレータからのＦＡＸについての指示を待つ。オペレータが倍率、濃度、画質、記録紙サイズ、モードなどの設定を行った後、スタートキー２０９を押した場合には、ステップＳ４０９においてこれを検知し、ステップＳ４１１に進み、ファクシミリ送信を行う。
【００７０】
また、ステップＳ４０７においてＦＡＸモードではないと判断した場合には、ステップＳ４２２でスキャンモードであるか否かを判断する。
【００７１】
ステップＳ４２２においてスキャンモードであると判断した場合には、ステップＳ４１２に進み、接続されているＰＣ１１１からの画像読取りについての指示を待つ。ステップＳ４１２において、ＰＣ１１１からの画像読取り指示があったと判断した場合には、ステップＳ４１３に進み、当該画像読取り指示に基づく画像読取りを行う。
【００７２】
ＰＣ１１１からの画像読取り指示がなければ、ステップＳ４１４でスタートキー２０９が押下されたか否かを調べ、スタートキー２０９が押されていれば、ステップＳ４１５に進み、ＰＣ１１１にスキャンモードを要求する。
【００７３】
ステップＳ４１６では、ＰＣ１１１側から所望のスキャンモードを取得することができたか否かを判断し、取得することができたと判断した場合には、ステップＳ４１７に進み、取得したスキャンモードに基づく画像読取を行う。
【００７４】
また、ステップＳ４２２においてスキャンモードでないと判断した場合には、ダイレクト印刷モードであると判断し、ステップＳ４２３にて、カードダイレクト印刷モードであるか否かを判断する。
【００７５】
ステップＳ４２３においてカードダイレクト印刷モードであると判断した場合には、ステップＳ４２４に進み、オペレータからのカードダイレクト印刷についての指示を待つ。オペレータが濃度、画質、記録紙サイズ、モードなどの設定を行った後、スタートキー２０９を押した場合には、ステップＳ４２５においてこれを検知し、ステップＳ４２６においてカードダイレクト印刷を行う。
【００７６】
一方、ステップＳ４２４においてカードダイレクト印刷モードでないと判断した場合には、カメラダイレクト印刷モードであると判断し、ステップＳ４２７に進み、ＤＳＣ１１５からのカメラダイレクト印刷についての指示を待つ。オペレータが濃度、画質、記録紙サイズ、モードなどの設定を行った後、ダイレクト印刷スタート指示を行うと、ステップＳ４２８ではこれを検知し、ステップＳ４２９においてカメラダイレクト印刷を行う。
【００７７】
なお、上記ＦＡＸモード（ステップＳ４０７〜）およびスキャンモード（ステップＳ４１２〜）においては、後述のプリスキャンによる原稿サイズ検出を行うように構成してもよい。ただし、本実施形態ではＦＡＸモードおよびスキャンモードにおいては、プリスキャンによる原稿サイズ検出は行わない構成となっているものとする。
【００７８】
さて、ステップＳ４０１で現在の状態がコピーモードであると判断した場合には、ステップＳ４０２に進む。オペレータが倍率、濃度、画質、記録紙サイズ、コピー種類などのコピー設定を行うと、ステップＳ４０２ではこれを受け付け、スタートキー２０９を押下すると、ステップＳ４０３ではこれを検知する（第２の取得手段）。
【００７９】
ステップＳ４１８では、フチ無しコピーを行うモードに設定されているか否かを判断し、フチ無しコピーを行うモードに設定されていないと判断した場合には、ステップＳ４０４に進む。ステップＳ４０４では、コピーモードが原稿サイズ検知を行うモードに設定されているか否かを判断する。
【００８０】
ステップＳ４０４において、プリスキャンによる原稿サイズ検知を行うモードに設定されていないと判断した場合には、ステップＳ４１０に進む。ステップＳ４１０では、選択されているコピーモードにより原稿サイズ検知なしのコピー処理を行う（例えば、設定されたサイズの記録紙を用いてコピーを行う）。
【００８１】
ステップＳ４１８において、フチ無しコピーモードに設定されていると判断した場合、にはステップＳ４１９に進む。またはステップＳ４０４において、コピーモードがプリスキャン（第１の取得手段）による原稿サイズ検知を行うモードに設定されていると判断した場合には、ステップＳ４１９に進む。なお、ステップＳ４１８またはステップＳ４０４において肯定された場合とは、原稿の全面読取が必要なフチ無しコピーモード、または、原稿サイズ検出が必要なコピーモードが選択されていることを意味する。
【００８２】
上述のように、ＡＤＦ読取方式は、これらのモードには適さない。そこでステップＳ４１９では、ＡＤＦ読取部に原稿がセットされているか否かを判断し、セットされていると判断された場合には、ステップＳ４２１に進む。
【００８３】
ここで、ステップＳ４１９が肯定されたということは、全面読取またはプリスキャンを行う必要があるにもかかわらず、ＡＤＦ読取方式が選択されていることを意味し、正常な読取動作が不可能である。このため、ステップＳ４２１ではその旨をユーザにエラー警告する。たとえば、「ＡＤＦから原稿を除去し、フラットベッド読取方式を選択してください」といったようなメッセージをディスプレイ２１７に可視表示したり、あるいはスピーカから音声出力することによりエラー警告する。
【００８４】
一方、ステップＳ４１９でＡＤＦ読取部に原稿がセットされていない、すなわちフラットベッド読取方式が選択されていると判断した場合は、ステップＳ４２０に進む。ステップＳ４２０では、後述の原稿の全面読取を伴なうフチ無しコピー動作、または原稿サイズ検出を伴なうコピー動作を行う。なお、画像読取方式の選択状態は、原稿検知センサ３０２によりＡＤＦ読取部の原稿セット位置３０１における原稿の有無を検出することによって、簡単安価に、また、直接的に検出することができる。上記のプリスキャンによる原稿サイズ検知を行うか否かはコピーモード（コピー種類）によって異なる。
【００８５】
ここで、本実施形態のＭＦＰ１００では、図５に示すような６種類のコピー処理が可能であるものとし、それぞれのコピー処理の詳細は、下記の通りである。
（１）単純に原稿をコピーするだけの通常コピー
（２）オペレータに指定された繰返し数だけ記録紙に繰返し原稿をコピーする繰返しコピー（手動）
（３）プリスキャンを行い原稿サイズを判断した後、記録紙に記録できるだけ繰返し原稿をコピーする繰返しコピー（自動）
（４）原稿を鏡に映したように反転してコピーする鏡像コピー
（５）プリスキャンを行い原稿サイズを判断した後、自動的に倍率を決定し、記録紙サイズいっぱいにコピーする自動倍率コピー
（６）記録部の非画像領域（記録紙周囲の余白）なしで記録紙全面に原稿をコピーするフチ無しコピー
本実施形態ではプリスキャンにより原稿サイズ検知を行うコピーは、（３）繰返しコピー（自動）、（５）自動倍率コピー、および（６）フチ無しコピーの３種類のみである。ただしフチ無しコピーでは原稿サイズ検知はコピー制御方式によっては必ずしも必須ではない。
【００８６】
ＭＦＰ１００では、コピー種類が原稿サイズ検知を行う（３）繰返しコピー（自動）、（５）自動倍率コピー、（６）フチ無しコピー（ただし原稿サイズ検知を用いるもの）であった場合には、画像読取の処理に先立って、プリスキャンを行う。これにより、原稿サイズを判断する。
【００８７】
５．コピー動作（ステップＳ４２０）の詳細
５．１  フチ無しコピー処理の流れ
次に上記ステップＳ４２０において実行されるコピー処理のうち、フチ無しコピーについて、図６〜図８を用いて詳細を説明する。
【００８８】
本実施形態にかかるＭＦＰ１００では、フチ無しコピー時に上・下・左・右それぞれの方向（互いに直交する２つの方向）にフチ無し巾を設定する。そして、原稿画像中心からそれぞれの方向への拡大率（変倍率）を設定することにより、原稿画像中心と記録紙上の原稿画像中心位置とを合わせつつ、画像欠損率を低減する。
【００８９】
図６のステップＳ６０１では、まず現在設定されているコピー種類がフチ無しコピーであるかどうかを調べる。ここでフチ無しコピーが選択されている場合は、ステップＳ６０２〜Ｓ６０４の処理を行う。
【００９０】
ステップＳ６０２では、図４中のステップＳ４０２においてオペレータが設定した記録紙サイズに対して、上・下・左・右それぞれのフチ無し巾を設定する。本実施形態では例えばＬ判サイズの記録紙に対しては、上に約４.５ｍｍ、下に約８ｍｍ、左側に約３ｍｍ、右側に約６ｍｍのフチ無し巾が設定されるものとする。ここで重要な点は、記録紙の上下左右のフチ無し巾は、ＭＦＰ１００の機械構造や特性によって決定され、必ずしも同じとはならないことである。
【００９１】
例えば、記録紙上への記録位置の制御を記録紙上端部の検出に基づいて行うＭＦＰ１００の場合について説明する。ＭＦＰ１００の記録紙上端部の検出精度が十分高く、搬送精度が悪い場合、記録紙の上端での位置ズレよりも記録紙の下端での位置ズレが大きくなることが多い。
【００９２】
同様に、記録紙左側にガイドが設けられているＭＦＰ１００の場合には、記録紙が斜めに給紙されると、ＭＦＰ１００の記録紙左側の位置精度は高く、反対側の記録紙右側の位置ズレが大きくなることが多い。
【００９３】
ステップＳ６０３では、フチ無し巾に基づいて上・下・左・右それぞれの拡大率を決定する。これは、取得した原稿サイズ（画像サイズ）と記録紙のサイズ（記録媒体サイズ）、フチ無し巾から、以下の式により算出することができる。
【００９４】
【数１】
0004441558.tif 000002
【００９５】
【数２】
0004441558.tif 000003
【００９６】
【数３】
0004441558.tif 000004
【００９７】
【数４】
0004441558.tif 000005
【００９８】
本実施形態では拡大率としては上記４種類の計算を記したが、実際の拡大率の適用は、記録紙上の原稿画像中心位置から見て左上・上・右上・左・中央・右・左下・下・右下の９領域に分割して拡大領域を適用することとなる。
【００９９】
例えば、記録紙上の原稿画像中心位置から見て左上の領域であれば上下方向に上方向の拡大率、左右方向に左方向の拡大率を適用し、記録紙上の原稿画像中心位置から見て真上の領域であれば上下方向に上方向の拡大率を適用することとなる。
【０１００】
ステップＳ６０３で拡大率が決定すると、当該決定された拡大率に基づいて拡大処理（変倍処理）し、ステップＳ６０４ではコピーを行う。
【０１０１】
５．２  フチ無しコピーの結果
次にフチ無しコピーを実行する場合の、前提となる原稿と記録紙のレイアウトならびにその場合の画像欠損率の差異（本実施形態に係るＭＦＰ１００による処理結果と従来のＭＦＰによる処理結果との差異）について、図７および図８を用いて説明する。
【０１０２】
図７（ａ）は、本実施形態にかかるＭＦＰ１００を用いた場合の、原稿画像と記録領域のレイアウトを示した図である。図７（ｂ）は、従来例において、原稿画像中心と記録紙上の原稿画像中心位置とを合わせた場合の原稿と記録領域のレイアウトを示した図である。図７（ｃ）は、従来例において、原稿画像中心と記録紙上の原稿画像中心位置とを合わせない場合の原稿と記録領域のレイアウトを示す図である。
【０１０３】
図８（ａ）は、本実施形態にかかるＭＦＰ１００を用いた場合の画像欠損率を示す図である。図８（ｂ）は、従来例において、原稿画像中心と記録紙上の原稿画像中心位置を合わせた場合の画像欠損率を示す図である。図８（ｃ）は、従来例において、原稿画像中心と記録紙上の原稿画像中心位置とを合わせない場合の画像欠損率を示す図である。
【０１０４】
５．２．１  ＭＦＰ１００における画像欠損率
まず、本実施形態にかかるＭＦＰ１００を用いた場合のレイアウトならびにその場合の画像欠損率について詳細に説明する。
【０１０５】
本実施形態にかかるＭＦＰ１００を用いた場合のレイアウト例である図７（ａ）中、太い実線で表された７００ａは原稿サイズを、太い破線で表された７０１ａは記録領域サイズ（記録紙サイズにフチ無し巾を加えたサイズ）を示している。また、円で表された７０２ａは原稿画像中心および記録紙上の原稿画像中心位置をそれぞれ示している。
【０１０６】
かかるレイアウトのもと、本実施形態にかかるＭＦＰ１００を用いた場合の画像欠損率を、図８（ａ）に示す。なお、ここでは、画像欠損率の計算はＬ判原稿を想定しており、取得した原稿サイズは上下１２７ｍｍ、左右８９ｍｍとしている。よって、原稿画像中心からの上下左右の長さは、上下がそれぞれ６３．５ｍｍ、左右がそれぞれ４４．５ｍｍとなる。また、記録紙サイズもＬ判を想定しているので、記録紙上の原稿画像中心位置からの長さは上述した原稿画像中心からの長さと同じである。
【０１０７】
本実施形態のＭＦＰ１００では、原稿画像中心位置の画素を移動させないように、原稿画像中心からみて上下左右方向にそれぞれフチ無し巾に応じた拡大率を設定する。よって、図８（ａ）中のフチ無し巾は上述した例の場合、上４．５ｍｍ、下８ｍｍ、左３ｍｍ、右６ｍｍとなる。
【０１０８】
次に、記録領域巾は上下左右の記録紙上の現行画像中心位置からの長さにそれぞれ対応する方向のフチ無し巾を加えた値となる。例えば、上方向の記録領域巾６８ｍｍ＝上方向の記録紙上の原稿画像中心位置からの長さ６３．５ｍｍ＋上方向のフチ無し巾４．５ｍｍとなる。
【０１０９】
そして、拡大率は記録領域巾を原稿画像中心からの長さで割った値となる。よって、上が１０７％、下が１１３％、左が１０７％、右が１１３％という拡大率となる。
【０１１０】
画像保持率は、上下左右それぞれの拡大率で拡大された原稿画像のうち、記録紙上に記録される原稿画像がどれだけの割合かを表す。
【０１１１】
【数５】
0004441558.tif 000006
【０１１２】
本実施形態では画像保持率が８３％なので、画像欠損率は１００％−８３％＝１７％となる。
【０１１３】
つまり、原稿画像上の情報のうち、１７％の情報が記録紙外となり、欠損することとなる。
【０１１４】
５．２．２  従来例による画像欠損率（１）
次に、従来のＭＦＰにおいて、原稿画像中心と記録紙上の原稿画像中心位置とを一致させた場合のレイアウトならびにその場合の画像欠損率について詳細に説明する。
【０１１５】
図７（ｂ）中、太い実線で表された７００ｂは原稿サイズを、太い破線で表された７０１ｂは記録領域サイズを、円で表された７０２ｂは原稿画像中心および記録紙上の原稿画像中心位置をそれぞれ示している。斜線で表された７０４ｂは図７（ｂ）の記録領域サイズ７０１ｂと図７（ａ）の記録領域サイズ７０１ａの差異部分である。
【０１１６】
かかるレイアウトのもと、従来例において原稿画像中心と記録紙上の原稿画像中心位置を揃えた場合の画像欠損率を、図８（ｂ）に示す。なお、ここでの画像欠損率の計算も本実施形態にかかるＭＦＰ１００における欠損率計算の場合と同様にＬ判原稿を想定しており、原稿サイズは上下１２７ｍｍ、左右８９ｍｍとしている。また、記録紙サイズもＬ判を想定しているので、記録紙の長さは上述した原稿の長さと同じである。
【０１１７】
従来のＭＦＰでは、原稿画像中心と記録紙上の原稿画像中心位置とを揃えた場合、全方向のフチ無し巾領域を覆うことができるように同一の拡大率を設定する。つまり、フチ無し巾については上下および左右それぞれで同じ値を用いる。このため、図７（ｂ）中のフチ無し巾は上述した値を元に上下８ｍｍ、左右６ｍｍとなり、図中では上下および左右の両端合計フチ無し巾の値は、１６ｍｍおよび１２ｍｍとなる。
【０１１８】
次に、記録領域巾は上下および左右の記録紙長さにそれぞれ対応する方向の両端合計フチ無し巾を加えた値となる。例えば、上下方向の記録領域巾１４３ｍｍ＝上下方向の記録紙の長さ１２７ｍｍ＋上下方向の両端合計フチ無し巾１６ｍｍとなる。
【０１１９】
そして、拡大率は記録領域巾を原稿の長さで割った値となる。この結果、上下が１１３％、左右が１１３％という拡大率となる。
【０１２０】
これにより画像保持率は、下式のようになる。
【０１２１】
【数６】
0004441558.tif 000007
【０１２２】
つまり、従来のＭＦＰでは、原稿画像中心と記録紙上の原稿画像中心位置とを揃えた場合、画像保持率が７８％となり、画像欠損率は１００％−７８％＝２２％となる。
【０１２３】
５．２．３  従来例による画像欠損率（２）
次に、従来のＭＦＰにおいて、原稿画像中心と記録紙上の原稿画像中心位置とを一致させない場合の、レイアウトならびにその場合の画像欠損率について詳細に説明する。
【０１２４】
図７（ｃ）中、太い実線で表された７００ｃは原稿サイズを、太い破線で表された７０１ｃは記録領域サイズを、７０２ｃは原稿画像中心を、７０３ｃは記録紙上の原稿画像中心位置をそれぞれ示している。
【０１２５】
かかるレイアウトのもと、従来例で画像中心を揃えない場合の画像欠損率を図８（ｃ）に示す。なお、ここでの画像欠損率の計算もＬ判原稿を想定しており、原稿サイズは上下１２７ｍｍ、左右８９ｍｍとしている。また、記録紙サイズもＬ判を想定しているので、記録紙の長さは上述した原稿の長さと同じである。
【０１２６】
従来のＭＦＰでは、原稿画像中心と記録紙上の原稿画像中心位置とを揃えない場合、全方向のフチ無し巾領域を覆うことができるように同一の拡大率を設定する。つまり、フチ無し巾については上・下・左・右それぞれで本実施形態と同じ値を用いた場合、上４．５ｍｍ、下８ｍｍ、左３ｍｍ、右６ｍｍとなる。図中では上下および左右の両端合計フチ無し巾の値として、１２．５ｍｍおよび９ｍｍとなる。
【０１２７】
次に、記録領域巾は上下および左右の記録紙長さにそれぞれ対応する方向の両端合計フチ無し巾を加えた値となる。例えば、上下方向の記録領域巾１３９．５ｍｍ＝上下方向の記録紙の長さ１２７ｍｍ＋上下方向の両端合計フチ無し巾１２．５ｍｍとなる。
【０１２８】
そして、拡大率は記録領域巾を原稿の長さで割った値となる。この結果、上下が１１０％、左右が１１０％という拡大率となる。
【０１２９】
これにより画像保持率は、下式のようになる。
【０１３０】
【数７】
0004441558.tif 000008
【０１３１】
つまり、従来例では、原稿画像中心と記録紙上の原稿画像中心位置とを揃えた場合、画像保持率が８３％となり、画像欠損率は１００％−８３％＝１７％となる。
【０１３２】
５．３  フチ無しコピーの結果の比較
以上、図７（ａ）および図７（ｂ）のレイアウト、図８（ａ）および図８（ｂ）の画像欠損率から分かるように、原稿画像中心と記録紙上の原稿画像中心位置とを合わせた状態では、従来のＭＦＰの画像欠損率は２２％であった。これに対して、本実施形態のＭＦＰ１００の場合、画像欠損率１７％と、５％（＝２２％−１７％）改善させることが可能である。このことは従来のＭＦＰを用いた場合に欠損していた画像のうちの約２３％分（＝５％÷２２％）の画像が記録紙上に保持できるようになったことを意味する。
【０１３３】
また、図７（ａ）および（ｃ）のレイアウト、図８（ａ）および（ｃ）の画像欠損率から分かるように、本実施形態のＭＦＰ１００の場合、従来のＭＦＰを用いた画像欠損率１７％と同じ画像欠損率となる。しかし、本実施形態のＭＦＰ１００の場合、原稿画像中心と記録紙上の原稿画像中心位置とを合わせた状態を実現することが可能となる。
【０１３４】
これに対して、従来のＭＦＰでは、原稿画像中心と記録紙上の原稿画像中心位置とを合わせない場合には、上下および左右のフチ無し量の差の半分が中心位置のズレとなってあらわれる。具体的には、下方向に１.７５ｍｍ（＝（下フチ無し巾８ｍｍ−上フチ無し巾４.５ｍｍ）÷２）、右方向に１.５ｍｍ（＝（右フチ無し巾６ｍｍ−左フチ無し巾３ｍｍ）÷２）、ずれることとなる。
【０１３５】
以上説明したように、上・下・左・右それぞれの方向にフチ無し巾を設定し、原稿画像の中心からそれぞれの方向への拡大率を設定してフチ無しコピーを行う。これにより、原稿画像中心と記録紙上の原稿画像中心位置とを一致させつつ、画像欠損率を低減させることが可能となる。
【０１３６】
なお、上・下・左・右それぞれの方向について、原稿画像の中心からの距離に応じて拡大率を大きくしてもよい。
【０１３７】
なお、上記実施形態ではフチ無し巾について上・下・左・右それぞれで同じ値を用い、上４．５ｍｍ、下８ｍｍ、左３ｍｍ、右６ｍｍとしたため、Ｌ判原稿→Ｌ判記録紙での拡大率は上下と左右でほぼ同じ倍率になっている。
【０１３８】
しかし、本発明の効果はこのような場合に限定されるものではない。上下と左右で拡大率が異なるようなフチ無し巾・原稿サイズ・記録紙サイズの組み合わせに対しても原稿画像中心と記録紙上の原稿画像中心位置とを合わせつつ、画像欠損率を低減させることが可能である。
【０１３９】
［第２の実施形態］
上記第１の実施形態では、原稿画像中心からそれぞれの方向への拡大率を設定する場合について説明した。しかし、上記第１の実施形態のように、上・下・左・右それぞれにフチ無し巾に基づく拡大率を設定した場合、原稿画像の中心から見てそれぞれの方向に対して拡大率が異なるので、画像全体が歪むこととなる。
【０１４０】
また、第１の実施形態の方法では、従来のＭＦＰを用いた原稿画像中心と記録紙上の原稿画像中心位置とを合わせない方法と比べた場合、画像欠損率に差がなかった。
【０１４１】
そこで、本実施形態では、原稿中に非フチ無し拡大領域を設け、画像の歪みの発生を回避しつつ、さらに画像欠損率を低減させる場合について説明する。
【０１４２】
なお、ＭＦＰ１００のシステム構成、操作パネルの構成、画像読取部の主要部の構成については、上記第１の実施形態と同様であるため、ここでは、説明を省略する。
【０１４３】
１．コピー動作の詳細
１．１  フチ無しコピー処理の流れ
図９は、本実施形態にかかるＭＦＰ１００のフチ無しコピーの流れを示すフローチャートである。図９に示すフチ無しコピーは、ＣＰＵ１０１により、図４のステップＳ４２０の処理工程において実行される。
【０１４４】
ステップＳ９０１では、まず現在設定されているコピー種類がフチ無しコピーであるかどうかを調べる。ここでフチ無しコピーが選択されている場合は、ステップＳ９０２〜Ｓ９０４およびステップＳ９０５の処理を行う。
【０１４５】
ステップＳ９０２では、図４中のステップＳ４０２においてオペレータが設定した記録紙サイズに対して、上・下・左・右それぞれのフチ無し巾を設定する。本実施形態では第１の実施形態と同様に、Ｌ判サイズの記録紙に対しては、上に約４．５ｍｍ、下に約８ｍｍ、左側に約３ｍｍ、右側に約６ｍｍのフチ無し巾を設定するものとする。
【０１４６】
ステップＳ９０３では、非フチ無し拡大領域を設定し、非フチ無し拡大率を決定する。具体的には、まず原稿をフチ無し巾を想定して拡大率を決定するフチ無し拡大領域と、フチ無し巾に無関係に、取得した原稿サイズと記録紙サイズとから拡大率を決定する非フチ無し拡大領域の２領域に分割する。そして、非フチ無し拡大領域について非フチ無し拡大率を決定する。なお、非フチ無し拡大率は、取得した原稿サイズと記録紙サイズとから、以下の式により算出することができる。
【０１４７】
【数８】
0004441558.tif 000009
【０１４８】
【数９】
0004441558.tif 000010
【０１４９】
ステップＳ９０４では、フチ無し巾と記録紙のフチ無し拡大領域の巾とに基づいて上・下・左・右それぞれのフチ無し拡大率を決定する。なお、フチ無し拡大率は、取得した原稿サイズと記録紙サイズ、フチ無し巾、記録紙のフチ無し拡大領域の巾とから、以下の式により算出することができる。
【０１５０】
【数１０】
0004441558.tif 000011
【０１５１】
【数１１】
0004441558.tif 000012
【０１５２】
【数１２】
0004441558.tif 000013
【０１５３】
【数１３】
0004441558.tif 000014
【０１５４】
本実施形態では拡大率としては上記６種類の計算を記したが、実際の拡大率の適用は、記録紙上の原稿画像中心位置から見て拡大領域を左上・上・右上・左・中央・右・左下・下・右下の９領域に分割して適用することとなる。
【０１５５】
例えば、記録紙上の原稿画像中心位置から見て左上の領域であれば上下方向に上フチ無し拡大率、左右方向に左フチ無し拡大率を適用する。記録紙上の原稿画像中心位置から見て真上の領域であれば上下方向に上フチ無し拡大率を適用し、左右方向に左右非フチ無し拡大率を適用することとなる。
【０１５６】
ステップＳ９０４では、非フチ無し拡大率を決定する。ステップＳ９０５では、ステップＳ９０４にて決定した非フチ無し拡大率に基づいて拡大処理（変倍処理）し、コピーを行う。
【０１５７】
１．２  フチ無しコピーの結果
上述した本実施形態にかかるＭＦＰ１００のフチ無しコピーを実行する場合の、前提となる原稿と記録紙のレイアウトならびにその場合の画像欠損率について、図１０（ａ）および図１１（ａ）を用いて説明する。
【０１５８】
図１０（ａ）は、フチ無し巾と同じだけの巾をフチ無し拡大領域として設定した場合の、原稿と記録領域のレイアウトを示した図である。
【０１５９】
図１１（ａ）は図１０（ａ）のレイアウトに対応する画像欠損率の計算結果を示したものである。
【０１６０】
本実施形態にかかるＭＦＰ１００のレイアウト例である図１０（ａ）中、太い実線で表された１０００ａは原稿サイズを、太い破線で表された１００１ａは記録領域サイズを示している。また、円で表された１００２ａは原稿画像中心および記録紙上の原稿画像中心位置を示している。また、二重線で表された１００５ａはフチ無し拡大領域と非フチ無し拡大領域の境界を示しており、１００５ａの内側が非フチ無し拡大領域を、１００５ａの外側がフチ無し拡大領域となっている。１００５ａの上下および左右の長さは、丁度１０００ａに対して上・下・左・右それぞれに対応する方向のフチ無し巾分だけ短くなっている。
【０１６１】
かかるレイアウトのもと、本実施形態にかかるＭＦＰ１００を用いた場合の画像欠損率を図１１（ａ）に示す。なお、ここでも画像欠損率の計算はＬ判原稿を想定しており、原稿サイズは上下１２７ｍｍ、左右８９ｍｍとしている。原稿画像中心からの上下左右の長さは、上下がそれぞれ６３．５ｍｍ、左右がそれぞれ４４．５ｍｍである。また、記録紙サイズもＬ判を想定しているので、記録紙上の原稿画像中心位置からの長さは上述した原稿画像中心からの長さと同じである。
【０１６２】
本実施形態では原稿画像の端部からフチ無し巾分のフチ無し拡大領域を設定する。この領域の画像はフチ無し巾に応じて拡大され、記録紙外に記録された情報については欠損となる。なお、図１１（ａ）中のフチ無し巾は上述したように、上４．５ｍｍ、下８ｍｍ、左３ｍｍ、右６ｍｍとしている。
【０１６３】
フチ無し領域の記録領域巾はフチ無し拡大領域巾とフチ無し巾を足した巾となるので、上９．０ｍｍ、下１６．０ｍｍ、左６．０ｍｍ、右１２．０ｍｍとなる。フチ無しコピーでは、フチ無し領域記録領域巾分を覆うことができるようにフチ無し拡大領域画像を拡大するので、フチ無し領域拡大率は２００％となる（＝上フチ無し領域記録領域巾９．０ｍｍ÷上フチ無し領域巾４．５ｍｍ）。
【０１６４】
つまり、フチ無し拡大領域の内５０％（＝１÷フチ無し領域拡大率２００％）は記録紙内に記録され、それ以外が記録紙外に記録されて欠損するので、画像保持領域は記録紙の長さからフチ無し領域巾の５０％を差し引いた長さとなる。なお、上記例の場合、画像保持領域は約６１．３ｍｍとなる（＝記録紙上の原稿画像中心位置からの上長さ６３．５−上フチ無し領域巾４．５ｍｍ／２）。
【０１６５】
そして、上下左右の画像保持領域巾を用いることにより、下式により画像保持率が求められる。
【０１６６】
【数１４】
0004441558.tif 000015
【０１６７】
この結果、図１１（ａ）では画像保持率が９０％となり、画像欠損率は１００％−９０％＝１０％となる。
【０１６８】
つまり、原稿画像上の情報のうち、１０％の情報が記録紙外となり、欠損することとなる。
【０１６９】
このように、非フチ無し拡大領域を設定することにより、画像の歪みを局所的に限定し、画像の欠損率を更に低減することが可能となる。
【０１７０】
また、フチ無し巾に基づいて非フチ無し拡大領域を求めた場合、フチ無し拡大領域の拡大率が一定となるので、拡大率の異方性によって生ずる画像歪みが目立ちにくくなるという効果も得られる。
【０１７１】
［第３の実施形態］
上記第２の実施形態では、フチ無し巾と同じだけの巾をフチ無し拡大領域として設定した場合のフチ無しコピーについて説明したが、本発明はかかる設定に限定されない。
【０１７２】
以下では、上・下・右・左のフチ無し巾のうち、最小の巾をフチ無し拡大領域として設定した場合の画像欠損率について説明する。なお、説明は、図１０（ｂ）及び図１１（ｂ）を参照しながら行うものとする。
【０１７３】
図１０（ｂ）は、上・下・右・左のフチ無し巾のうち、最小の巾をフチ無し拡大領域として設定した場合の、原稿と記録領域のレイアウトを示した図である。図１１（ｂ）は、図１０（ｂ）のレイアウトに対応する画像欠損率の計算結果を示したものである。
【０１７４】
本実施形態にかかるＭＦＰ１００のレイアウト例である図１０（ｂ）中、太い実線で表された１０００ｂは原稿サイズを、太い破線で表された１００１ｂは記録領域サイズを示している。また、円で表された１００２ｂは原稿画像中心および記録紙上の原稿画像中心位置の両方を示している。また、二重線で表された１００５ｂはフチ無し拡大領域と非フチ無し拡大領域の境界であり、１００５ｂの内側が非フチ無し拡大領域であり、１００５ｂの外側がフチ無し拡大領域である。１００５ｂの上下および左右の長さは、丁度１０００ｂに対して上下左右同じ巾分だけ短くなっている。
【０１７５】
かかるレイアウトのもと、本実施形態にかかるＭＦＰ１００を用いた場合の画像欠損率を図１１（ｂ）に示す。なお、ここでも画像欠損率の計算はＬ判原稿を想定しており、原稿サイズは上下１２７ｍｍ、左右８９ｍｍとしている。このため原稿画像中心からの上下左右の長さは、上下がそれぞれ６３．５ｍｍ、左右がそれぞれ４４．５ｍｍである。また、記録紙サイズもＬ判を想定しているので、記録紙上の原稿画像中心位置からの長さは上述した原稿画像中心からの長さと同じである。
【０１７６】
本実施形態では原稿画像の端部から上下左右のフチ無し巾のうち、最小の巾分のフチ無し拡大領域を上下左右に設定する。この領域の画像はフチ無し巾に応じて拡大され、記録紙外に記録された情報については欠損となる。
【０１７７】
上述したように図１１（ｂ）中のフチ無し巾は上４．５ｍｍ、下８ｍｍ、左３ｍｍ、右６ｍｍとしている。フチ無し領域の記録領域巾はフチ無し拡大領域巾（＝上下左右のフチ無し巾の最小値３．０ｍｍ）と上・下・左・右それぞれのフチ無し巾とを足した巾となる。このため、上が７．５ｍｍ、下が１１．０ｍｍ、左が６．０ｍｍ、右が９．０ｍｍとなる。そして、フチ無しコピーではフチ無し領域記録領域巾分を覆うことができるようにフチ無し拡大領域画像を拡大する。このため、フチ無し領域拡大率は上が２５０％、下が３６７％、左が２００％、右が３００％となる（＝上フチ無し領域記録領域巾７．５ｍｍ÷フチ無し領域巾３．０ｍｍ）。
【０１７８】
つまり、上・下・左・右それぞれフチ無し拡大領域巾に応じて記録紙内に記録される割合が決まることとなる。例えば、上保存割合４０％＝１÷上フチ無し領域拡大率２５０％）。上保存割合以外の割合は記録紙外に記録されて欠損するので、欠損割合は１００％から上保存割合を引いた値となる。例えば、上欠損割合６０％＝１００％−上保存割合４０％となる。画像保持領域巾は記録紙の長さからフチ無し拡大領域巾×欠損割合を差し引いた長さとなる。これにより、画像保持領域は約６１．７ｍｍ＝記録紙上の原稿画像中心位置からの上長さ６３．５−上フチ無し拡大領域巾３ｍｍ×上欠損割合６０％となる。そして、上下左右の画像保持領域巾を用いることにより、下式により画像保持率が求められる。
【０１７９】
【数１５】
0004441558.tif 000016
【０１８０】
この結果、図１１（ｂ）では画像保持率が９３％となり、画像欠損率は１００％−９３％＝７％となる。つまり、原稿画像上の情報のうち、７％の情報が記録紙外となり、欠損することとなる。
【０１８１】
このように、非フチ無し拡大領域を上下左右のフチ無し巾の最小値に設定することにより、画像の歪みを更に局所的に限定するとともに、画像欠損率を更に低減させることが可能となる。
【０１８２】
また、上下左右のフチ無し巾の最小値に基づいて上下左右共通の非フチ無し拡大領域巾を求めた場合、フチ無し拡大領域巾が上下左右で一定となるので、フチ無し拡大領域巾の異方性によって生ずる画像歪みが目立ちにくくなるという効果も得られる。
【０１８３】
［第４の実施形態］
上記第２及び第３の実施形態では、フチ無し拡大領域におけるそれぞれの方向の拡大率を一定とした。しかし、非フチ無し拡大領域での拡大率とフチ無し拡大領域での拡大率の差若しくは比が大きい場合、非フチ無し拡大領域とフチ無し拡大領域の境界部分での拡大率の変化が大きくなり、その部分の画像歪みが目立ち易くなる。
【０１８４】
そこで、本実施形態では、２段階のフチ無し拡大領域を設定し、拡大率を非フチ無し拡大領域＜第２フチ無し拡大領域＜第１フチ無し拡大領域の関係を満たすように設定し、拡大率の変化を２段階とする。このように設定することで、拡大率の変化を抑え、画像歪みを目立たなくすることが可能となる。以下、本実施形態の詳細を説明する。
【０１８５】
図１０（ｃ）は、２段階のフチ無し拡大領域を持ち、第１フチ無し拡大領域巾をフチ無し巾の１／３、第２フチ無し拡大領域巾をフチ無し巾の２／３として設定した場合の、原稿と記録領域のレイアウトを示した図である。図１１（ｃ）は、図１０（ｃ）のレイアウトに対応する画像欠損率の計算結果を示したものである。
【０１８６】
本実施形態にかかるＭＦＰ１００のレイアウト例である図１０（ｃ）中、太い実線で表された１０００ｃは原稿サイズを、太い破線で表された１００１ｃは記録領域サイズを示している。また、円で表された１００２ｃは原稿画像中心および記録紙上の原稿画像中心位置を示している。また、二重線で表された１００５ｃは第２フチ無し拡大領域と非フチ無し拡大領域の境界であり、太点線で表された１００６ｃは第１フチ無し拡大領域と第２フチ無し拡大領域の境界である。１００５ｃの内側が非フチ無し拡大領域であり、１００５ｃの外側で１００６ｃの内側が第１フチ無し拡大領域、１００６ｃの外側が第２フチ無し拡大領域である。１００５ｃは図１０（ａ）中の１００５ａと同じであり、１００６ｃの位置は１０００ｃと１００５ｃを１：２に内分する位置となっている。
【０１８７】
本実施形態にかかるＭＦＰ１００によれば、フチ無しコピーの方法としては、１００５ｃ〜１００６ｃの第２フチ無し拡大領域の画像が１００５ｃ〜１０００ｃの領域に拡大され記録紙上に記録される。また、１００６ｃ〜１０００ｃの第１フチ無し拡大領域が１０００ｃ〜１００１ｃの領域に拡大され、記録紙外に記録されて欠損することとなる。つまり、画像の外側になるにつれて相対的に拡大率・欠損率が増加することとなる。
【０１８８】
かかるレイアウトのもと、本実施形態にかかるＭＦＰ１００を用いた場合の画像欠損率を図１１（ｃ）に示す。なお、ここでも画像欠損率の計算はＬ判原稿を想定しており、原稿サイズは上下１２７ｍｍ、左右８９ｍｍとしている。このため原稿画像中心からの上下左右の長さは、上下がそれぞれ６３．５ｍｍ、左右がそれぞれ４４．５ｍｍである。また、記録紙サイズもＬ判を想定しているので、記録紙上の原稿画像中心位置からの長さは上述した原稿画像中心からの長さと同じである。
【０１８９】
図１１（ｃ）中のフチ無し巾は、上４．５ｍｍ、下８ｍｍ、左３ｍｍ、右６ｍｍとしている。図１１（ｃ）中のフチ無し領域巾は第１フチ無し領域巾であり、フチ無し巾の１／３なので、上１．５ｍｍ、下２．７ｍｍ、左１．０ｍｍ、右２．０ｍｍとなる。また、図１１（ｃ）中のフチ無し領域の記録領域巾は第１フチ無し領域の記録領域巾なので、フチ無し巾と同じとなる。そして、フチ無し領域記録領域巾分を覆うことができるようにフチ無し拡大領域画像を拡大するので、フチ無し領域拡大率は３００％となる（＝上フチ無し領域記録領域巾４．５ｍｍ÷上フチ無し領域巾１．５ｍｍ）。
【０１９０】
結果的には、第１フチ無し拡大領域は記録紙外に記録されて欠損するので、画像保持領域は記録紙の長さからフチ無し領域巾を差し引いた長さとなる。例えば、上画像保持領域は、約６２．０ｍｍ＝記録紙上の原稿画像中心位置からの上長さ６３．５−上フチ無し領域巾１．５ｍｍとなる。
【０１９１】
このようにして求められた上下左右の画像保持領域巾に基づいて、下式により画像保持率が求められる。
【０１９２】
【数１６】
0004441558.tif 000017
【０１９３】
この結果、図１１（ｃ）では画像保持率が９３％となり、画像欠損率は１００％−９３％＝７％となる。つまり、原稿画像上の情報のうち、７％の情報が記録紙外となり、欠損することとなる。
【０１９４】
また、第２フチ無し拡大領域は１００５ｃ〜１００６ｃの領域であり、拡大後の記録紙上の領域は１００５ｃ〜１０００ｃなので、第２フチ無し拡大領域の拡大率は１５０％となる。よって、拡大率は非フチ無し領域が１００％、第２フチ無し拡大領域が１５０％、第１フチ無し拡大領域３００％となる。各領域の境界における拡大率の変化率を見ると、非フチ無し領域と第２フチ無し拡大領域の境界１００５ｃで１５０％（＝１５０％／１００％）、第２フチ無し拡大領域と第１フチ無し拡大領域の境界１００６ｃで２００％（＝３００％／１５０％）となる。
【０１９５】
一方、図１１（ａ）に示すように、フチ無し拡大領域を１領域だけ設定した場合には、非フチ無し拡大領域とフチ無し拡大領域の境界１００５ａでの拡大率の変化率は２５０％（＝２５０％／１００％）となる。
【０１９６】
このように、２段階のフチ無し拡大領域を持ち、段階的に拡大率を設定することにより、画像の拡大率の変化率、つまり画像歪みの変化量を低減しつつ、画像欠損率を更に低減することが可能となる。
【０１９７】
なお、本実施形態では２段階のフチ無し拡大領域を設定することとしたが、２段階の限定されるものではない。より段数を多く設定し、原稿画像の中央からの距離に応じて（原稿画像の端部に近づくにつれて）各端部でのフチ無し量に基づき拡大率を大きくするようにしてもよい。これにより、拡大率の変化量を低減しつつ、画像欠損率を更に低減させることが可能となる。
【０１９８】
［第５の実施形態］
上記第２の実施形態では原稿画像中に非フチ無し拡大領域を設け、画像の歪みの発生を回避しつつ、さらに画像欠損率を低減させる場合について説明したが、本発明はこれに限られない。
【０１９９】
本実施形態では非フチ無し拡大領域として原稿画像内を解析し、拡大領域として不適切な領域を非拡大領域として設定する場合について説明する。
【０２００】
一般に、写真画像等の画像データのコピー等では主要被写体領域とそれ以外とで要求される画像の精度が同じではない。このため、第１の実施形態のように、上・下・左・右それぞれについてフチ無し巾に基づく拡大率を設定すると、画像の拡大率およびその変化率は小さく抑えられるものの、原稿画像中心から見て各方向の拡大率が異なるので、画像全体が歪むこととなる。
【０２０１】
また、第２の実施形態のように、画像中央部分に非フチ無し拡大領域を設定すると、非フチ無し拡大領域部分が位置・サイズが維持されるが、その分画像の拡大率が増大してしまう。
【０２０２】
一方、それらの歪みは、主要被写体、例えば人物の顔等のオブジェクトでは顕著に歪みが認識されるが、空や砂浜、密生する木々等のオブジェクトでは顕著には認識されない。
【０２０３】
そこで、本実施形態では、画像の歪みが顕著に出易い人間の顔等の主要被写体部分を非拡大領域として設定することで、画像の歪みが目立たなくする。
【０２０４】
以下、図１２〜図１３を用いて、主要被写体部分を非フチ無し拡大領域として設定することで、画像の歪みを目立たなくする例を説明する。
【０２０５】
１．コピー動作の詳細
１．１  フチ無しコピー処理の流れ
図１２は、本実施形態にかかるＭＦＰ１００のフチ無しコピーの流れを示すフローチャートである。図１２に示すフチ無しコピーは、ＣＰＵ１０１により、図４のステップＳ４２０の処理工程において実行される。
【０２０６】
ステップＳ１２０１では、まず現在設定されているコピー種類がフチ無しコピーであるかどうかを調べる。ここでフチ無しコピーが選択されている場合は、ステップＳ１２０２〜Ｓ１２０５およびステップＳ１２０６の処理を行う。
【０２０７】
ステップＳ１２０２では、図４中のステップＳ４０２においてオペレータが設定した記録紙サイズに対して、上・下・左・右それぞれのフチ無し巾を設定する。本実施形態では第１の実施形態と同様に、Ｌ判サイズの記録紙に対して、上に約４．５ｍｍ、下に約８ｍｍ、左側に約３ｍｍ、右側に約６ｍｍのフチ無し巾を設定するものとする。
【０２０８】
ステップＳ１２０３では原稿画像中から主要被写体を検出する。この主要被写体を検出する方法は特定の手法に限る必要は無く、公知の方法を用いればよい。例えば、主要被写体として人の顔を考えた場合、原稿画像から人の顔を抽出する手法として、肌色データを抽出し、肌色範囲と判断された測光点のクラスタを顔とする方法が知られている。
【０２０９】
具体的には、特開昭５２−１５６６２４号公報、特開昭５３−１４５２１号公報、特開昭５３−１４５６２２号公報などに開示されている。さらに特開平４−３４６３３３号公報では、測光データを色相と彩度に変換し、この二次元ヒストグラムを作成、解析することで顔領域を判断する方法が開示されている。また、特開平８−０６３５９７号公報においては、人の顔の形状に相当する顔候補領域を抽出し、その領域内の特徴量から顔領域を決定する方法が開示されている。
【０２１０】
ステップＳ１２０３において主要被写体のサイズ・位置を検出すると、ステップＳ１２０４へ進む。
【０２１１】
ステップＳ１２０４では、ステップＳ１２０３で検出された主要被写体のサイズ・位置から非フチ無し拡大領域を設定し、非フチ無し拡大率を決定する。これは第２の実施形態と同様に下式により求められる。
【０２１２】
【数１７】
0004441558.tif 000018
【０２１３】
【数１８】
0004441558.tif 000019
【０２１４】
ステップＳ１２０５では、フチ無し巾と記録紙のフチ無し拡大領域の巾とに基づいて上・下・左・右それぞれのフチ無し拡大率を決定する。これは第２の実施形態同様、下式により求めることができる。
【０２１５】
【数１９】
0004441558.tif 000020
【０２１６】
【数２０】
0004441558.tif 000021
【０２１７】
【数２１】
0004441558.tif 000022
【０２１８】
【数２２】
0004441558.tif 000023
【０２１９】
なお、本実施形態においても、拡大率としては上記６種類の計算を記したが、実際の拡大率の適用は、記録紙上の原稿画像中心位置から見て拡大領域を左上・上・右上・左・中央・右・左下・下・右下の９領域に分割して適用することとなる。例えば、記録紙上の原稿画像中心位置から見て左上の領域であれば上下方向に上フチ無し拡大率、左右方向に左フチ無し拡大率を適用する。記録紙上の原稿画像中心位置から見て真上の領域であれば上下方向に上フチ無し拡大率を適用し、左右方向に左右非フチ無し拡大率を適用することとなる。
【０２２０】
ステップＳ１２０５で非フチ無し拡大率が決定すると、ステップＳ１２０６では、該決定した非フチ無し拡大率に基づいて拡大処理（変倍処理）し、コピーを行う。
【０２２１】
１．２  フチ無しコピーの結果
上述した本実施形態にかかるＭＦＰ１００のフチ無しコピーを実行する場合の、前提となる原稿と記録領域のレイアウトならびにその場合の画像欠損率について、図１３（ａ）を用いて説明する。
【０２２２】
図１３（ａ）は、検出された人の顔領域を非フチ無し拡大領域として設定したことを示す図である。
【０２２３】
本実施形態にかかるＭＦＰのレイアウト例である図１３（ａ）中、太い実線で表された１３００ａは原稿サイズを、太い破線で表された１３０１ａは記録領域サイズを、二重線で表された１３０５ａは検出された人の顔領域をそれぞれ示している。また、１３０５ａの上下および左右の長さは、検出された顔の大きさを示している。１３０５ａの領域は非フチ無し拡大領域であり、１００５ａ〜１３００ａの領域がフチ無し拡大領域となる。
【０２２４】
図１３（ａ）の場合、人の顔が原稿中央左側に位置しているので、フチ無し拡大率としては、左フチ無し拡大率＞右フチ無し拡大率と設定される。このように設定されることで、主要被写体部分のみ非フチ無し拡大領域として設定されるので、主要被写体についてはサイズと位置が保存され、他の領域における拡大率の増大は必要な分だけに限定される。また、原稿画像毎に主要被写体の位置が異なるので、原稿画像毎に適切な非フチ無し拡大領域が設定することが可能となる。
【０２２５】
なお、図１２のステップＳ１２０４で主要被写体が検出されなかった場合には、第１の実施形態のように原稿画像中心からフチ無し拡大を行うように構成しても良い（これは主要被写体位置が原稿中央、サイズが０として検出・設定された場合と等価である）。あるいは、第２の実施形態のように、原稿画像中心部分に既定の非フチ無し拡大領域を設けるように構成しても良い（これは主要被写体位置が原稿中央、サイズが既定値として検出・設定された場合と等価である）。
【０２２６】
［第６の実施形態］
上記第５の実施形態では、１つの顔を検出する場合について説明したが、本実施形態では、複数の人の顔が検出された場合について説明する。
【０２２７】
図１３（ｂ）は、検出された２つの人の顔の両方の領域を覆うように非フチ無し拡大領域として設定したことを示す図である。
【０２２８】
本実施形態に係るＭＦＰ１００のレイアウト例である図１３（ｂ）中、太い実線で表された１３００ｂは原稿サイズを、太い破線で表された１３０１ｂは記録領域サイズを示している。また、二重線で表された１３０５ｂは検出された複数の人の顔を含む領域を示している。また、１３０５ｂの上下および左右の長さは、検出された複数の人の顔の全体を含む領域の大きさを示している。更に、１３０５ｂの領域は非フチ無し拡大領域を、１３０５ｂ〜１３００ｂの領域がフチ無し拡大領域を示している。
【０２２９】
本実施形態では、主要被写体領域を以下のように設定する。
・主要被写体領域の上端＝検出された複数の顔領域の上端の内、最も上側の位置
・主要被写体領域の下端＝検出された複数の顔領域の下端の内、最も下側の位置
・主要被写体領域の左端＝検出された複数の顔領域の左端の内、最も左側の位置
・主要被写体領域の右端＝検出された複数の顔領域の右端の内、最も右側の位置
このように設定することで、集合写真等の場合には全ての人の顔を含む領域を非フチ無し拡大領域として設定し、その外部をフチ無し拡大領域として設定することができる。なお、後の処理は上記第５の実施形態と同様であるため説明は省略する。
【０２３０】
以上の説明から明らかなように、本実施形態によれば、主要被写体部分のみ非フチ無し拡大領域として設定されるので、主要被写体についてはサイズと位置が保存され、他の領域における拡大率の増大は必要な分だけに限定される。また、原稿画像毎に主要被写体の位置は異なるので、原稿画像毎に適切な非フチ無し拡大領域が設定することが可能となる。
【０２３１】
なお、本実施形態では、主要被写体として人の顔を例に説明したが、主要被写体としては人の顔に限られるものではなく、文字や直線で構成された図形等、拡大率の変化や異方性による歪みが顕著に認識され易い被写体であってもよい。このような被写体に対しても同様に検出を行い、非フチ無し拡大領域として設定するように構成してもよい。
【０２３２】
また、主要被写体が原稿に対して著しく大きく、フチ無し拡大領域の拡大率が余りに大きくなってしまう場合、画像の歪みを顕著に認識させずに主要被写体の位置とサイズを維持することが非常に困難となる。その場合にはサイズと位置を維持することを断念し、従来例と同様に原稿全面を記録画像とフチ無し巾を覆うようにすることで画像の歪みの発生を避けることが好ましい。
【０２３３】
このような事態は主要被写体の大きさだけによるものではなく、フチ無し巾の設定や原稿サイズと記録紙サイズの比やアスペクト比の違い等の要因によっても発生し得る。
【０２３４】
なお、第１〜第６の実施形態についてはそれぞれ単独での実施に限定するものではなく、複数の実施形態の処理を組み合わせることで、拡大による歪みをより目立ちにくくするようにしてもよい。
【０２３５】
例えば、第５の実施形態の主要被写体の検出によって決定されたフチ無し拡大領域の拡大処理に対して、第３の実施形態に記述した複数のフチ無し拡大領域設定を行うことにより、拡大率の変化率の低減効果を得ることが出来る。
【０２３６】
なお、上述のフチ無し巾およびフチ無し巾に基づく拡大率の値はあくまでも一例であり、装置の機械構造や特性によって異なるため、必ずしもこの値に限られないことはいうまでもない。
【０２３７】
また、フチ無し巾についても、同一の装置内において、ユーザが大きめのフチ無し巾と小さめのフチ無し巾とを設定出来るように構成してもよい。その場合にはユーザの設定に応じてフチ無し拡大領域の拡大率計算が行われることとなる。
【０２３８】
また、記録紙サイズ等の印刷設定に応じてフチ無し巾が決定されるように構成しても良い。その場合にも印刷設定に応じてフチ無し拡大領域の拡大率計算が行われることとなる。
【０２３９】
また、フチ無しコピーを例にとって説明したが、本発明はフチ無しコピー時に限定されるものではなく、カードダイレクト印刷やカメラダイレクト印刷におけるフチ無し印刷にも適用可能である。
【０２４０】
つまり、所定の画素数を持つデジタル画像原稿を記録紙に割り付ける際にも同様にして画像欠損率を低減しつつ、デジタル画像原稿の中心と記録紙の中心を合わせた出力画像を得ることが可能である。
【０２４１】
デジタル画像原稿の場合、これまで説明してきたコピー原稿の場合と違い、物理的な長さが規定されていない場合がある。その場合には、デジタル画像原稿のサイズとして、画素数を用いて処理を行う事が好ましい。具体的には、例えばデジタル画像原稿の画素数を出力解像度等で物理的な長さに換算し、それをコピー原稿のサイズと同様に取り扱う事で実現出来る。この場合の物理的な長さへの換算の仕方としては、出力解像度を用いても、入力解像度を用いても、またいずれとも異なる解像度を用いても特に構わない。
【０２４２】
なお、原稿サイズに対しての記録紙サイズ（厳密には記録紙の有効記録サイズ）、すなわち設定倍率は、それぞれ適当な方法で検知することができる。例えば、原稿サイズは、他のコピーの場合と同様にプリスキャンにより検出することができるし、またユーザが適当なユーザインタフェースにより手動で入力するような方式であってもよい。記録紙サイズは記録紙カセットなどに設けた適当なセンサにより検出するようにしてもよいし、また、ユーザが明示的な操作により手動入力するようにしてもよい。
【０２４３】
そして、原稿サイズおよび記録紙サイズが判明すれば、両者の比率から両者の相対倍率、すなわち上記の設定倍率を計算することができる（あるいはユーザが直接この設定倍率を手動操作により選択するユーザインタフェースも考えられる）。
【０２４４】
また、本実施形態では上・下・右・左の４辺全てに対してフチ無し印刷する場合を例にして説明したが、本発明はこの構成に限定されるものではない。例えば左右方向のみフチ無し印刷を行い、上下方向にはフチ有り印刷を行う場合であっても本発明を適用することができる。その場合には原稿の左右側にのみフチ無し拡大領域が設定され、上下方向には非フチ無し拡大領域が設定されることとなる。
【０２４５】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０２４６】
また、本発明の目的は、前述した実施形態の機能を実現するソフトウェアのプログラムコードを記録した記録媒体を、システムあるいは装置に供給するよう構成することによっても達成されることはいうまでもない。この場合、そのシステムあるいは装置のコンピュータ（またはＣＰＵやＭＰＵ）が記録媒体に格納されたプログラムコードを読出し実行することにより、上記機能が実現されることとなる。なお、この場合、そのプログラムコードを記録した記録媒体は本発明を構成することになる。
【０２４７】
プログラムコードを供給するための記録媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２４８】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０２４９】
さらに、記録媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０２５０】
【図１】本発明の第１の実施形態にかかる画像処理装置（ＭＦＰ１００）のシステム構成を示す図である。
【図２】本発明の第１の実施形態にかかる画像処理装置（ＭＦＰ１００）の操作パネルの構成を示す図である。
【図３】ＭＦＰ１００の画像読取部の主要部の構成を示す図である。
【図４】ＭＦＰ１００における全体処理の流れを示すフローチャートである。
【図５】ＭＦＰ１００が処理可能なコピー種類を示す図である。
【図６】フチ無しコピー処理の流れを示すフローチャートである。
【図７】フチ無しコピーを実行する際の、原稿と記録領域のレイアウトを示す図である。
【図８】フチ無しコピーを実行する際の、画像欠損率を示す図である。
【図９】フチ無しコピー処理の流れを示すフローチャートである。
【図１０】フチ無しコピーを実行する際の、原稿と記録領域のレイアウトを示す図である。
【図１１】フチ無しコピーを実行する際の、画像欠損率を示す図である。
【図１２】フチ無しコピー処理の流れを示すフローチャートである。
【図１３】フチ無しコピーを実行する際の、原稿と記録領域のレイアウト及び画像欠損率を示す図である。
【図１】
0004441558.tif 000024
【図２】
0004441558.tif 000025
【図３】
0004441558.tif 000026
【図４】
0004441558.tif 000027
【図５】
0004441558.tif 000028
【図６】
0004441558.tif 000029
【図７】
0004441558.tif 000030
【図８】
0004441558.tif 000031
【図９】
0004441558.tif 000032
【図１０】
0004441558.tif 000033
【図１１】
0004441558.tif 000034
【図１２】
0004441558.tif 000035
【図１３】
0004441558.tif 000036